(57)【要約】【課題】  スピーカからの楽音を演奏者に十分に到達させるとともに、外観を向上させることができる電子鍵盤楽器を提供する。【解決手段】  前面を閉鎖する前面板７を有する楽器本体２のケース３と、複数の鍵４と、ケース３内の空間ＳＬの前面板７で覆われた部位に配置され、鍵４の押鍵に伴い、低音域成分を含む楽音信号を楽音として再生し、放射するための低音用スピーカ１３と、前面板７の低音用スピーカ１３を配置した部位と異なる部位に形成され、低音用スピーカ１３から放射された楽音を放音するための開口１６，１７と、を備える。【選択図】  図１
2006030497.tif 000002
【特許請求の範囲】
【請求項１】
前面を閉鎖する前面板を有する楽器本体のケースと、
複数の鍵と、
前記ケース内の空間の前記前面板で覆われた部位に配置され、前記鍵の押鍵に伴い、低音域成分を含む楽音信号を楽音として再生し、放射するための低音用スピーカと、
前記前面板の前記低音用スピーカを配置した部位と異なる部位に形成され、前記低音用スピーカから放射された楽音を放音するための開口と、
を備えていることを特徴とする電子鍵盤楽器。
【請求項２】
前記前面板は、下前板であり、
前記ケースは、前記下前板の下端部付近に当該下前板に覆われるように配置された底板を有し、
前記低音用スピーカは、前記ケースの底板に配置されていることを特徴とする請求項１に記載の電子鍵盤楽器。
【発明の詳細な説明】
【技術分野】
【０００１】
本発明は、鍵の押鍵に伴って楽音を放射するスピーカを備えた電子鍵盤楽器に関する。
【背景技術】
【０００２】
従来のこの種の電子ピアノとして、例えば特許文献１に開示されたものが知られている。図６に示すように、この電子ピアノ５１のピアノ本体５２は、ケース５３と、このケース５３に配置された複数の鍵６０と、ケース５３内に配置された左右のスピーカ５４，５４などで構成されている。ケース５３は、左右の親板５５，５５と、親板５５，５５間の前面上半部を覆う上前板５６と、親板５５，５５間の前面下半部を覆う下前板５７などを備えている。下前板５７は、上板５７ａと下板５７ｂで構成されている。上板５７ａの裏面には、スピーカ５４，５４が、それらの放音面が前方を向くように取り付けられている。また、上板５７ａには、スピーカ５４，５４に対応する位置に、楽音を放音するための放音孔５８，５８がそれぞれ形成され、さらに、これらの放音孔５８，５８を覆うように、合成樹脂をメッシュ状に編み込んだサラン５９，５９がそれぞれ設けられている。
【０００３】
以上の構成により、鍵６０の押鍵に伴って生成された楽音は、スピーカ５４，５４から放射され、その後、放音孔５８，５８およびサラン５９，５９を介して演奏者に到達する。
【０００４】
以上のように、上述した従来の電子ピアノ５１では、スピーカ５４，５４の放音面と同じ位置に放音孔５８，５８が設けられている。このため、正面から、サラン５９，５９や放音孔５８，５８が見えさらに、これらを介してスピーカ５４，５４が直接、見えてしまい、それにより、視覚的な違和感を与えるだけでなく、電子ピアノ５１の外観が損なわれるという問題がある。この問題は、外観がアコースティック型のピアノに近似するように意図された電子ピアノの場合には、特に顕著になる。この問題を解消するために、例えば放音孔を省略すると、楽音を演奏者に十分に到達させることができず、音量が不足してしまう。
【０００５】
本発明は、このような課題を解決するためになされたものであり、スピーカからの楽音を演奏者に十分に到達させるとともに、外観を向上させることができる電子鍵盤楽器を提供することを目的とする。
【０００６】
【特許文献１】実開昭６２−５３４９８号のマイクロフィルム
【発明の開示】
【課題を解決するための手段】
【０００７】
この目的を達成するために、請求項１に係る発明は、前面を閉鎖する前面板を有する楽器本体のケースと、複数の鍵と、ケース内の空間の前面板で覆われた部位に配置され、鍵の押鍵に伴い、低音域成分を含む楽音信号を楽音として再生し、放射するための低音用スピーカと、前面板の低音用スピーカを配置した部位と異なる部位に形成され、低音用スピーカから放射された楽音を放音するための開口と、を備えていることを特徴とする。
【０００８】
この電子鍵盤楽器によれば、ケース内の空間に配置された低音用スピーカから放射された楽音は、ケース内の空間を伝搬し、ケースの前面板の低音用スピーカと異なる部位に形成された開口を通って、ケースの前方に放音される。一般に、楽音の指向性は低音域ほど弱い。このため、開口が低音用スピーカと異なる部位に形成されていても、低音用スピーカからの楽音は、ケース内の空間を伝搬し、開口を介して、音量が不足することなく演奏者に十分に到達する。また、本発明によれば、低音用スピーカは、ケース内の空間の前面板で覆われた部位に配置されているので、演奏者から視覚的に認識されることがなく、それにより、電子鍵盤楽器の外観を向上させることができる。
【０００９】
請求項２に係る発明は、請求項１に記載の電子鍵盤楽器において、前面板は、下前板であり、ケースは、下前板の下端部付近に下前板に覆われるように配置された底板を有し、低音用スピーカは、ケースの底板に配置されていることを特徴とする。
【００１０】
この構成によれば、低音用スピーカは、下前板に覆われた底板に配置されているので、演奏者によって低音用スピーカが視覚的に認識されるのを確実に防止でき、それにより、電子鍵盤楽器の外観を確実に向上させることができる。
【発明を実施するための最良の形態】
【００１１】
以下、図面を参照しながら、本発明の好ましい実施形態を、詳細に説明する。図１および図２は、本発明の実施形態によるアップライト型の電子ピアノ１（電子鍵盤楽器）を示している。なお、以下の説明では、電子ピアノ１を演奏者から見た場合の手前側（図１の右側）を「前」、奥側（図１の左側）を「後」とし、さらに鍵の並び方向を「左右方向」として、説明を行うものとする。これらの図に示すように、この電子ピアノ１のピアノ本体２（楽器本体）は、ケース３と、このケース３に配置された複数の鍵４などで構成されている。ケース３は、左右の親板５，５と、親板５，５間の前面上部を覆う上前板６と、親板５，５間の前面下半部を覆う下前板７（前面板）と、親板５，５間に固定された水平な棚板８と、親板５，５間の下端部に固定された水平な底板９と、親板５，５間の背面を覆う背板１０と、親板５，５などの上面を覆う水平な屋根１１と、上前板６の下端から前方に延びる水平な下屋根１２で構成されている。
【００１２】
親板５，５、下前板７、棚板８、底板９および背板１０によって下空間ＳＬが形成されている。また、親板５，５、上前板６、棚板８、背板１０、屋根１１および下屋根１２などによって上空間ＳＨが形成されている。
【００１３】
下前板７の上端部には、その左右方向のほぼ全体にわたって連続的に延びるスリット１６（開口）が形成されている。また、下前板７の下端部には、左右の端部以外の部分に、左右方向に連続的に延びる切欠き１７（開口）が形成されている。さらに、下前板７の前面には、その大部分を縁取るように、図２に示すような装飾用凹部７ａが形成されている。
【００１４】
底板９は、左右方向に延びる長方形状のものであり、下前板７の切欠き１７よりも上方に配置されており、その上面には、低音域再生用のスピーカ（以下「低音用スピーカ」という）１３が、その放音面が下方を向くように取り付けられている。底板９には、低音用スピーカ１３に対応する位置に、低音用スピーカ１３からの楽音を放音するための孔９ａが形成されている。
【００１５】
上前板６の内面には、高音域再生用の左右のスピーカ（以下「高音用スピーカ」という）１４，１４が、それらの放音面が前方を向くように取り付けられている。また、上前板６には、高音用スピーカ１４，１４に対応する位置に、高音用スピーカ１４，１４からの楽音を放音するための放音孔６ａ，６ａ（１つのみ図示）がそれぞれ形成されている。背板１０の内面には、中音域再生用の左右のスピーカ（以下「中音用スピーカ」という）１５，１５（１つのみ図示）が、それらの放音面が後方を向くように取り付けられている。また、背板１０には、中音用スピーカ１５，１５に対応する位置に、中音用スピーカ１５，１５からの楽音を放音するための放音孔１０ａ，１０ａ（１つのみ図示）がそれぞれ形成されている。
【００１６】
下屋根１２の上面には、高音用スピーカ１４，１４の前側の位置に譜面台１８が取り付けられている。譜面台１８は、装飾的な形状を有するとともに、左右方向に並んだ３つの開口１８ａ，１８ａ，１８ａが形成されている。そのうちの左右の開口１８ａ，１８ａには、例えば籐を編み込んだメッシュ１８ｂ，１８ｂがそれぞれ設けられている。これらのメッシュ１８ｂ，１８ｂは、装飾的な役割と、その後方に位置する高音用スピーカ１４，１４を覆い隠すとともに、高音用スピーカ１４，１４からの楽音を前方に通す役割を果たす。
【００１７】
棚板８の上面前端部には第１口棒１９が、また、棚板８の前面には第２口棒２０が、左右方向に連続的に延びるように、それぞれ取り付けられている。第１口棒１９は、ケース３の鍵盤蓋２２の閉鎖位置を定めるためのものであり、一定の高さを有している。これに対し、第２口棒２０は、棚板８から上下に突出するように取り付けられており、上面は水平である。一方、第２口棒２０の下面は、スリット１６よりも下方に位置し、それにより、スリット１６を覆うようになっている。また、下面の左右の部分は、装飾的な波形の形状になっており、中央部よりも下方に大きく突出している。
【００１８】
鍵４は、白鍵４ａと黒鍵４ｂで構成されており、中央部に形成されたバランスピン孔（図示せず）を介して、棚板８に取り付けられたシャーシ２１から立設するバランスピン（図示せず）に、揺動自在に支持されている。各鍵４には、その押鍵情報を検出するための鍵スイッチ（図示せず）が設けられている。鍵スイッチは、押鍵情報に応じた電気信号を制御装置（図示せず）に出力する。制御装置は、鍵スイッチで検出された押鍵情報に応じた音色および音高に対応する楽音信号を生成し、高音・中音・低音用スピーカ１４，１４，１５，１５，１３にそれぞれ出力する。
【００１９】
以上の構成により、鍵４の押鍵に伴って生成された楽音信号は、それぞれ高音・中音・低音用スピーカ１４，１４，１５，１５，１３で楽音として再生され、放射される。高音用スピーカ１４，１４から放射された楽音は、放音孔６ａ，６ａを通ってケース３の前方に放音された後、譜面台１８の開口１８ａ，１８ａおよびメッシュ１８ｂ，１８ｂを介して演奏者に到達する。また、中音用スピーカ１５，１５から放射された楽音は、放音孔１０ａ，１０ａを通ってケース３の後方に放音された後、演奏者に到達する。
【００２０】
低音用スピーカ１３からの楽音は主として、図１に矢印で示すように、その放音面から下方に、またその反対側から上方に、それぞれ放射される。放音面から下方に放射された楽音は、底板９の孔９ａを通って、その下側の空間を伝搬し、切欠き１７を通ってケース３の前方に放音される。一方、上方に放射された楽音は、下空間ＳＬを伝搬し、スリット１６を通って、ケース３の前方に放音される。低音用スピーカ１３からの楽音は指向性が弱いため、低音用スピーカ１３の放音面と異なる部位にスリット１６および切欠き１７を形成しても、低音用スピーカ１３からの楽音を、これらのスリット１６および切欠き１７を介して十分に放音させることができ、したがって、音量が不足することなく演奏者に十分に到達させることができる。
【００２１】
また、低音用スピーカ１３は、下前板７に覆われた底板９に配置されているので、演奏者によって視覚的に認識されるのを確実に防止でき、それにより、電子ピアノ１の外観を確実に向上させることができる。また、スリット１６は、横長に形成されていることで、もともと目立たないとともに、第２口棒２０によって覆い隠されているので、演奏者によって視覚的に認識されることがなく、電子ピアノ１の外観をさらに向上させることができる。
【００２２】
図３〜図５は、電子ピアノに低音用スピーカを取り付けた他の例を示したものである。なお、以下の説明において、上述した実施形態と同一の構成については、同じ参照番号を付し、その詳細な説明は省略するものとする。図３および図４に示すように、下前板７の内面上端部には、左右の低音用スピーカ３２，３２が配置されている。また、下前板７には、上述した実施形態におけるスリット１６に代えて、低音用スピーカ３２，３２に対応する位置に、放音孔３３，３３がそれぞれ形成されている。
【００２３】
このような構成により、鍵４の押鍵に伴って生成された楽音は、低音用スピーカ３２，３２から放射され、放音孔３３，３３を通ってケース３の前方に放音された後、演奏者に到達する。また、前述したように、第２口棒２０の左右の部分が特に、下方に突出しているので、図５に示すように、その後方に位置する放音孔３３，３３は、第２口棒２０の左右の部分に隠されることによって、演奏者Ｐの演奏位置からはまったく見えない。このため、低音用スピーカ３２，３２の放音面と同じ位置に放音孔３３，３３を設けても、演奏者Ｐが低音用スピーカ３２，３２を視覚的に認識するのを防止することができる。
【００２４】
なお、本発明は、説明した実施形態に限定されることなく、種々の態様で実施することができる。例えば、実施形態では、低音用スピーカ１３を、底板９に取り付けているが、これに限らず、ケース３内の下空間ＳＬのスリット１６および切欠き１７と異なる部位である限り、下空間ＳＬ内の任意の位置に配置してもよい。また、実施形態では、低音用スピーカ１３からの楽音をケース３の前方に放音させるために、上前板７にスリット１６および切欠き１７を形成しているが、いずれか一方のみを形成してもよい。また、実施形態では、低音用スピーカ１３を直接、底板９に取り付けているが、低音用スピーカ１３をスピーカボックスに収容し、底板９に取り付けてもよい。また、実施形態では、下前板７の上端部にスリット１６を形成しているが、これに限らず、例えば下前板７の装飾用凹部７ａに、それに沿うようにスリットを設けてもよく、それにより、スリットを目立たない状態で配置することができる。また、スリットに代えて、演奏者に違和感を与えない程度で、開口を他の適当な形状、例えば楕円形、円形や長方形などにしてもよい。また、実施形態は、底板９に低音用スピーカ１３を１つ配置したものであるが、２つ配置してもよい。さらに、他のスピーカのレイアウトによっては、低音用スピーカ１３を、下空間ＳＬに限らず、上空間ＳＨに配置してもよい。
【００２５】
さらには、実施形態は、本発明を電子ピアノに適用した例であるが、これに限らず、本発明をシンセサイザなどの他のタイプの電子楽器に適用してもよいことは、もちろんである。その他、本発明の趣旨の範囲内で、細部を適宜、変更することが可能である。
【図面の簡単な説明】
【００２６】
【図１】本発明の実施形態による電子ピアノの側面図である。
【図２】図１の電子ピアノの正面図である。
【図３】スピーカを取り付けた電子ピアノの側面図である。
【図４】図３の電子ピアノの正面図である。
【図５】図３の電子ピアノを演奏者とともに示す図である。
【図６】従来の電子ピアノの正面図である。
【符号の説明】
【００２７】
１  電子ピアノ（電子鍵盤楽器）
２  ピアノ本体（楽器本体）
３  ケース
４  鍵
７  下前板（前面板）
９  底板
１３  低音用スピーカ
１６  スリット（開口）
１７  切欠き（開口）    
ＳＬ  下空間（空間）
【図１】
2006030497.tif 000003
【図２】
2006030497.tif 000004
【図３】
2006030497.tif 000005
【図４】
2006030497.tif 000006
【図５】
2006030497.tif 000007
【図６】
2006030497.tif 000008